【事件の表示】
　特願２００２−２３３４３３「無線通信セキュリティ・システムにおけるセキュリティ・キーの過度な使用を防止するための方法」拒絶査定不服審判事件〔平成１６年　３月１１日出願公開、特開２００４−　８００７１〕について、次のとおり審決する。
【結　論】
　本件審判の請求は、成り立たない。
【理　由】
第１．手続の経緯 
　本願は、平成１４年８月９日（パリ条約による優先権主張２００１年８月１６日、米国）の出願であって、平成１７年７月１５日付けで拒絶理由通知がなされ、平成１８年５月１日付けで拒絶理由通知がなされ、同年１１月１７日付けで拒絶査定がなされ、これに対し、平成１９年２月２６日に審判請求がなされるとともに同年３月２３日付けで手続補正がなされたものである。そして、同年８月２８日付けで審査官から前置報告がなされ、平成２１年３月１３日付けで当審より審尋がなされ、同年６月１６日付けで回答書が提出されたものである。
　 
第２．平成１９年３月２３日付けの手続補正についての補正却下の決定 
［補正却下の決定の結論］ 
　平成１９年３月２３日付けの手続補正を却下する。 
　 
［理由］ 
１．補正の内容
　平成１９年３月２３日付けの手続補正（以下、「本件補正」という。）の内容は、
　平成１４年８月９日付けの願書に最初に添付した明細書の特許請求の範囲の記載
「【請求項１】　無線通信装置のメモリに記憶する開始値を決定する方法であって、該開始値はｘビットのサイズを有し、かつ初期値をｎビットのセキュリティ・カウント値に与えるのに使用され、前記無線通信装置は、複数のチャネルを確立することが可能であり、且つ確立したチャネルを解放することが可能であり、該方法が、
　無線通信装置によって確立された少なくとも二つのチャネルに対して、対応する終了値を獲得するステップと、前記対応するチャネルの終了値は、前記チャネルに関連するｎビットのセキュリティ・カウント値のｘ最上位ビット（ＭＳＢｘ）が到達した最も高い値であることと、
　全ての終了値の内で最大の値である最終値を獲得するステップと、
　前記最終値と少なくとも同じ大きさの開始値を、無線装置のメモリ内に記憶するステップとを含む方法。
　　【請求項２】　前記最終値が前記メモリ内に以前記憶された開始値よりも大きくない場合に、前記最終値を前記メモリ内に以前記憶された開始値と少なくとも同じ大きさとなるように設定する請求項１に記載の方法。
　　【請求項３】　前記メモリに記憶された前記開始値が前記最終値および前記以前に記憶された開始値の双方より大きい請求項２に記載の方法。
　　【請求項４】　前記最終値が所定値を超える場合、前記最終値を前記所定値と等しくなるように設定する請求項３に記載の方法。
　　【請求項５】　前記メモリに記憶された開始値のロール・オーバを防止するために、前記所定値が２ｘによって決定される請求項４に記載の方法。
　　【請求項６】　無線通信装置における開始値を管理する方法であって、該開始値はｘビットのサイズを有し、かつ初期値をｎビットのセキュリティ・カウント値に与えるために使用され、前記通信装置は複数のチャネルを確立することが可能であり、各チャネルは関連付けられたｎビットのセキュリティ・カウントを有し、且つ確立したチャネルを解放することが可能であり、該方法が、
　最初に確立したチャネルに対して、その最初に確立したチャネルに関連する前記ｎビットのセキュリティ・カウント値のｘ最上位ビット（ＭＳＢＸ）を第１の値に設定するステップと、該第１の値が前記無線通信装置のメモリに記憶された第１の値と少なくとも同じ大きさであることと、
　その後に確立されたチャネルに対して、該その後に確立されたチャネルに関連するｎビットのセキュリティ・カウント値のＭＳＢｘを第２の値に設定するステップと、該第２の値が、全ての確立したチャネルに関連する全ての前記ｎビットのセキュリティ・カウント値の全ての前記ＭＳＢｘのうちで到達した最大値と少なくとも同じ大きさであることと、
　少なくとも別のチャネルを確立する場合に、既に確立されたチャネルのいずれかを解放するとき、全ての前記既に確立されたチャネルに関連する全ての前記ｎビットのセキュリティ・カウント値および前記解放したチャネルに関連するｎビットのセキュリティ・カウント値の全てのＭＳＢｘのうちで到達した最大値と少なくとも同じ大きさである第３の値を生成するステップと、
　前記第３の値を前記開始値として前記メモリに記憶するステップとを含む方法。
　　【請求項７】　前記メモリに記憶された第３の値が前記第１の値より大きい請求項６に記載の方法。
　　【請求項８】　前記第３の値が所定値を超える場合、前記第３の値が前記所定値と等しくなるよう設定される請求項６に記載の方法。
　　【請求項９】　前記開始値のロール・オーバを防止するために、前記所定値が２ｘよって決定される請求項８に記載の方法。
　　【請求項１０】　前記第２の値が、前記メモリに記憶された前記開始値と少なくとも同じ大きさとなるように、さらに設定される請求項６に記載の方法。
　　【請求項１１】　前記第３の値が、前記メモリに記憶された前記開始値と少なくとも同じ大きさとなるように、さらに設定される請求項６に記載の方法。」（以下、この特許請求の範囲に記載された請求項を「補正前の請求項」という。）を、
　
「【請求項１】　無線通信装置のメモリに記憶する開始値を決定する方法であって、該開始値はｘビットのサイズを有し、かつ初期値をｎビットのセキュリティ・カウント値に与えるのに使用され、前記無線通信装置は、複数のチャネルを確立することが可能であり、且つ確立したチャネルを解放することが可能であり、該方法が、
　無線通信装置によって確立された少なくとも二つのチャネルに対して、対応する終了値を獲得するステップと、前記対応するチャネルの終了値は、前記チャネルに関連するｎビットのセキュリティ・カウント値のｘ最上位ビット（ＭＳＢx）が到達した最も高い値であることと、
　全ての終了値の内で最大の値である最終値を獲得するステップと、
　既に確立されたチャネルのいずれかを解放するときに、前記最終値と少なくとも同じ大きさの開始値を、無線装置のメモリ内に記憶するステップとを含む方法。
　　【請求項２】　前記最終値が前記メモリ内に以前記憶された開始値よりも大きくない場合に、前記最終値を前記メモリ内に以前記憶された開始値と少なくとも同じ大きさとなるように設定する請求項１に記載の方法。
　　【請求項３】　前記メモリに記憶された前記開始値が前記最終値および前記以前に記憶された開始値の双方より大きい請求項２に記載の方法。
　　【請求項４】　前記最終値が所定値を超える場合、前記最終値を前記所定値と等しくなるように設定する請求項３に記載の方法。
　　【請求項５】　前記メモリに記憶された開始値のロール・オーバを防止するために、前記所定値が２xによって決定される請求項４に記載の方法。
　　【請求項６】　無線通信装置における開始値を管理する方法であって、該開始値はｘビットのサイズを有し、かつ初期値をｎビットのセキュリティ・カウント値に与えるために使用され、前記通信装置は複数のチャネルを確立することが可能であり、各チャネルは関連付けられたｎビットのセキュリティ・カウント値を有し、且つ確立したチャネルを解放することが可能であり、該方法が、
　最初に確立したチャネルに対して、その最初に確立したチャネルに関連する前記ｎビットのセキュリティ・カウント値のｘ最上位ビット（ＭＳＢＸ）を第１の値に設定するステップと、該第１の値が前記無線通信装置のメモリに記憶された第１の値と少なくとも同じ大きさであることと、
　その後に確立されたチャネルに対して、該その後に確立されたチャネルに関連するｎビットのセキュリティ・カウント値のＭＳＢxを第２の値に設定するステップと、該第２の値が、全ての確立したチャネルに関連する全ての前記ｎビットのセキュリティ・カウント値の全ての前記ＭＳＢxのうちで到達した最大値と少なくとも同じ大きさであることと、　少なくとも別のチャネルを確立する場合に、既に確立されたチャネルのいずれかを解放するとき、全ての前記既に確立されたチャネルに関連する全ての前記ｎビットのセキュリティ・カウント値および前記解放したチャネルに関連するｎビットのセキュリティ・カウント値の全てのＭＳＢxのうちで到達した最大値と少なくとも同じ大きさである第３の値を生成するステップと、
　既に確立されたチャネルのいずれかを解放するときに、前記第３の値を前記開始値として前記メモリに記憶するステップとを含む方法。
　　【請求項７】　前記メモリに記憶された第３の値が前記第１の値より大きい請求項６に記載の方法。
　　【請求項８】　前記第３の値が所定値を超える場合、前記第３の値が前記所定値と等しくなるよう設定される請求項６に記載の方法。
　　【請求項９】　前記開始値のロール・オーバを防止するために、前記所定値が２ｘよって決定される請求項８に記載の方法。
　　【請求項１０】　前記第２の値が、前記メモリに記憶された前記開始値と少なくとも同じ大きさとなるように、さらに設定される請求項６に記載の方法。
　　【請求項１１】　前記第３の値が、前記メモリに記憶された前記開始値と少なくとも同じ大きさとなるように、さらに設定される請求項６に記載の方法。」（以下、この特許請求の範囲に記載された請求項を「補正後の請求項」という。）
　に補正するものである。
　 
２．補正の適否
２−１．新規事項の有無、補正の目的要件 
　本件補正は、願書に最初に添付した明細書、特許請求の範囲又は図面に記載した事項の範囲内においてなされており、特許法第１７条の２第３項の規定に適合する。
　そして、補正前の請求項１〜１１についてそれぞれなされた補正は、平成１８年法律第５５号改正附則第３条第１項によりなお従前の例とされる同法による改正前の特許法第１７条の２第４項第２号の特許請求の範囲の減縮（請求項に記載した発明を特定するために必要な事項を限定するものであって、その補正前の当該請求項に記載された発明とその補正後の請求項に記載された発明の産業上の利用分野及び解決しようとする課題が同一であるもの）を目的とするものである。 
　
２−２．独立特許要件
　本件補正は、特許法１７条の２第４項第２号の特許請求の範囲の減縮を目的とすることから、補正前の請求項１及び補正前の請求項６についてする補正、すなわち補正後の請求項１及び補正後の請求項６が、特許出願の際独立して特許を受けることができるものであるか、（平成１８年法律第５５号改正附則第３条第１項によりなお従前の例によるとされる同法による改正前の特許法第１７条の２第５項において準用する同法第１２６条第５項の規定に適合するか）以下に検討する。 
　
２−２−１．特許法第３６条第６項第１号に規定する要件についての検討
（１）補正後の請求項１の記載からすると、補正後の請求項１の「無線通信装置」は、以下の態様を含む。（備考：下線部は当審で付与したもの。）
　
　（ａ）
複数のチャネル
　（ｂ）
二つのチャネル
　全ての終了値の内で最大の値である最終値を獲得すること。
　（ｃ）既に
確立されたチャネルのいずれか
　
　してみると、前記「無線通信装置」は、３つ以上のチャネル（簡単のため、第１のチャネル、第２のチャネル、第３のチャネル、、、と言う）を確立し、そのうちの２つのチャネル（第１のチャネル及び第２のチャネル）に対して最終値を獲得し、前記２つのチャネルとは異なる別のチャネル（第３のチャネル）を解放するときに、前記２つのチャネル（第１のチャネル及び第２のチャネル）に対する最終値を無線装置のメモリ内に記憶する態様を含むと解される。
　
  　しかしながら、発明の詳細な説明に（備考：下線部は当審で付与したもの。）、
「【００２２】
　本発明の利点は、本発明の方法によれば、
すべての確立されたチャネル
「【００３０】
　・・・（中略）・・・　他のチャネル４２が同時に確立されているか否かに関係なく、
あらゆるチャネル４２を解放する直前
最終値４５が開始値４６ｓより大きい場合
メモリ４６に記憶
「【００３１】
　これに代わって、任意のチャネル４２の解放の際に、第１局４０は最終値４５を、解放中のチャネル４２のＨＦＮＴ４３ｔ、またはＨＦＮＲ４３ｒの内のより大きいほうの終了値のＭＳＢｘに等しくなるように設定してもよい。この最終値４５が２ｘ−１より小さい場合、最終値４５を１つだけ増分する。
最終値４５が開始値４６ｓより大きい場合
メモリ４６に記憶
「【００３２】
　上記方法の内いずれを使用したかに関係なく、最終的な結果としては、最後のチャネル４２の解放の際（その後に確立されるチャネル４２はない）、開始値４６ｓは、確立された
全てのチャネル
　
　したがって、前記補正後の請求項１には、発明の詳細な説明に記載された、発明の課題（最後のチャネルの解放の際、メモリに記憶される開始値は、確立された全てのチャネルの到達した最も高い終了値より１つ大きい値を保持すること）を解決するための手段が反映されておらず、発明の詳細な説明に記載した範囲を超えて特許を請求するものであり、上記で指摘したように、補正後の請求項１に記載される発明は発明の詳細な説明に記載したものでない。
　
　よって、補正後の請求項１の記載は、特許法第３６条第６項第１号に規定する要件を満たしていないから、本件補正後の請求項１に記載される発明は特許出願の際独立して特許を受けることができない。
　
（２）補正後の請求項６の記載について検討する。
　補正後の請求項６の記載からすると、補正後の請求項６の「無線通信装置」は、以下の態様を含む。（備考：下線部は当審で付与したもの。）
　
　（ｄ）
少なくとも別のチャネルを確立する場合
確立されたチャネルのいずれか
　（ｅ）既に
確立されたチャネルのいずれか
　
　ここで、（ｅ）における「既に確立されたチャネルのいずれか」は、既に確立された複数のチャネル（簡単のため、第１のチャネル、第２のチャネル、第３のチャネル、、、と言う。）のいずれかひとつを意味する態様を含む。すなわち、第１のチャネルが前記既に確立されたチャネルのいずれかひとつに該当して、それ以外のチャネル（第２のチャネル及び第３のチャネル、、、）は、既に確立されたチャネルのいずれかひとつに該当しない態様を含むと解される。
　してみると、前記「無線通信装置」は、別のチャネル（簡単のため、「新たなチャネル」と言う。）を確立する場合に、既に確立されたチャネルのひとつである「第１のチャネル」を解放するとき、全ての既に確立されたチャネル（第２のチャネル、第３のチャネル、、、）に関連する全ての終了値および前記解放したチャネルに関連する終了値のうちで到達した最大値と同じ大きさである第３の値を生成し、前記「第１のチャネル」を解放するときに、前記第３の値を前記開始値として前記メモリに記憶し、前記「第２のチャネル」、「第３のチャネル」、、、を解放するときには、前記「第２のチャネル」、「第３のチャネル」、、、にそれぞれ対応する第３の値を前記開始値として前記メモリに記憶しない態様を含むと解される。
　しかしながら、発明の詳細な説明に（備考：下線部は当審で付与したもの。）、
「【００２２】
　本発明の利点は、本発明の方法によれば、
すべての確立されたチャネル
「【００３０】
　・・・（中略）・・・　他のチャネル４２が同時に確立されているか否かに関係なく、
あらゆるチャネル４２を解放する直前
最終値４５が開始値４６ｓより大きい場合
メモリ４６に記憶
「【００３１】
　これに代わって、任意のチャネル４２の解放の際に、第１局４０は最終値４５を、解放中のチャネル４２のＨＦＮＴ４３ｔ、またはＨＦＮＲ４３ｒの内のより大きいほうの終了値のＭＳＢｘに等しくなるように設定してもよい。この最終値４５が２ｘ−１より小さい場合、最終値４５を１つだけ増分する。
最終値４５が開始値４６ｓより大きい場合
メモリ４６に記憶
「【００３２】
　上記方法の内いずれを使用したかに関係なく、最終的な結果としては、最後のチャネル４２の解放の際（その後に確立されるチャネル４２はない）、開始値４６ｓは、確立された
全てのチャネル
　
　したがって、前記補正後の請求項６には、発明の詳細な説明に記載された、発明の課題（最後のチャネルの解放の際、メモリに記憶される開始値は、確立された全てのチャネルの到達した最も高い終了値より１つ大きい値を保持すること）を解決するための手段が反映されておらず、発明の詳細な説明に記載した範囲を超えて特許を請求するものであり、上記で指摘したように、補正後の請求項６に記載される発明は発明の詳細な説明に記載したものでない。
　
　よって、補正後の請求項６の記載は、特許法第３６条第６項第１号に規定する要件を満たしていないから、本件補正後の請求項６に記載される発明は特許出願の際独立して特許を受けることができない。
　
２−２−２．特許法第３６条第６項第２号に規定する要件についての検討
（１）補正後の請求項１について
　補正後の請求項１に記載された、確立することが可能な「複数のチャネル」、「確立された少なくとも二つのチャネル」、及び「既に確立されたチャネルのいずれか」の各チャネルについて、前記「確立された少なくとも二つのチャネル」とは、具体的に前記「複数のチャネル」のどのチャネルを意味するのか、また前記「既に確立されたチャネルのいずれか」とは、具体的に前記「複数のチャネル」又は前記「確立された少なくとも二つのチャネル」のどのチャネルを意味するのか、不明であり、発明が明確でない。
　
　よって、補正後の請求項１の記載は、特許法第３６条第６項第２号に規定する要件を満たしていないから、本件補正後の請求項１に記載される発明は特許出願の際独立して特許を受けることができない。
　
（２）補正後の請求項６について
　補正後の請求項６に記載された、「少なくとも別のチャネルを確立する場合」における前記「別のチャネル」、「既に確立されたチャネルのいずれかを解放するとき」における前記「既に確立されたチャネルのいずれか」、及び「既に確立されたチャネルのいずれかを解放するときに、前記第３の値を前記開始値として前記メモリに記憶する」における前記「既に確立されたチャネルのいずれか」の各チャネルについて、各チャネルが具体的にどのような関係にあるのか、不明であり、発明が明確でない。
　さらに、「既に確立されたチャネルのいずれかを解放するときに、前記第３の値を前記開始値として前記メモリに記憶する」とあるが、具体的に、どのチャネルを解放するときに、前記第３の値を前記開始値として前記メモリに記憶するのか、不明であり、発明が明確でない。
　
　よって、補正後の請求項６の記載は、特許法第３６条第６項第２号に規定する要件を満たしていないから、本件補正後の請求項６に記載される発明は特許出願の際独立して特許を受けることができない。
　
３．むすび 
　以上のとおり、本件補正は、平成１８年法律第５５号改正附則第３条第１項によりなお従前の例によるとされる同法による改正前の特許法第１７条の２第５項で準用する特許法第１２６条第５項の規定に違反するものであるから、特許法第１５９条第１項において読み替えて準用する特許法第５３条第１項の規定に基き却下すべきものである。
　 
第３．本願発明について 
（１）本願発明
　平成１９年３月２３日付けの手続補正は前記のとおり却下されたので、本願の請求項１に係る発明（以下、同項記載の発明を「本願発明」という。）は、平成１４年８月９日付けの願書に最初に添付した明細書の特許請求の範囲の請求項１に記載された事項により特定される以下のとおりのものである。
　 
　「無線通信装置のメモリに記憶する開始値を決定する方法であって、該開始値はｘビットのサイズを有し、かつ初期値をｎビットのセキュリティ・カウント値に与えるのに使用され、前記無線通信装置は、複数のチャネルを確立することが可能であり、且つ確立したチャネルを解放することが可能であり、該方法が、
　無線通信装置によって確立された少なくとも二つのチャネルに対して、対応する終了値を獲得するステップと、前記対応するチャネルの終了値は、前記チャネルに関連するｎビットのセキュリティ・カウント値のｘ最上位ビット（ＭＳＢｘ）が到達した最も高い値であることと、
　全ての終了値の内で最大の値である最終値を獲得するステップと、
　前記最終値と少なくとも同じ大きさの開始値を、無線装置のメモリ内に記憶するステップとを含む方法。」
　
（２）引用例 
 　原査定の拒絶の理由に引用された、本願の優先権主張の日前の国際出願日にされた他の国際出願であって、その出願後に特許協力条約第２１条に規定する国際公開がされた特願２００１−５６３５６０号（国際公開第０１／６５８８３号パンフレット）の国際出願日における国際出願の明細書、請求の範囲又は図面（以下「先願明細書」という。）には、その国際公開パンフレットを参照すると次の（ア）〜（オ）の事項が記載されている。
　 
（ア）「1. A method for protecting traffic in a radio access network (RAN) supporting multiple radio bearers to/from a mobile station (MS), the radio access network being connected to at least two core networks (CS-CN, PS-CN); characterized by: -maintaining a core network-specific authentication protocol ; -maintaining a radio bearer-specific ciphering process (CP); -generating, for each ciphering process, a count parameter (C) comprising a cyclical sequence number (43) and a hyperframe number (HFN) which is incremented each time the cyclical sequence number (43) completes one cycle ; for each core network (CS-CN, PS-CN) or authentication protocol : --initializing (5-8) a first radio bearer of a session with a hyperframe number exceeding the highest hyperframe number used during the previous session; and --at the end of a session, storing (5-18) at least part (41) of the highest hyperframe number used during the session. 」（１１頁特許請求の範囲の請求項１。）
（和訳：１．モバイルステーション(MS)への／からの複数の無線ベアラをサポートする無線アクセスネットワーク(RAN)におけるトラフィックを保護するための方法であって、上記無線アクセスネットワークは、少なくとも２つのコアネットワーク(CS-CN,PS-CN)に接続され、上記方法は、コアネットワーク特有の認証プロトコルを維持し、無線ベアラ特有の暗号化プロセス(CP)を維持し、各暗号化プロセスに対して、繰り返しシーケンス番号(43)と、この繰り返しシーケンス番号(43)が１サイクル完了するたびに増加されるハイパーフレーム番号(HFN)とを含むカウントパラメータ(C)を発生し、各コアネットワーク(CS-CN,PS-CN)又は認証プロトコルに対して、以前のセッション中に使用された最大のハイパーフレーム番号を越えるハイパーフレーム番号でセッションの第１無線ベアラを初期化し(5-8)、そしてセッションの終りに、そのセッション中に使用された最大のハイパーフレーム番号の少なくとも一部分(41)を記憶する(5-18)、というステップを備えたことを特徴とする方法。）
　
（イ）「Typically a frame number extension (ahyper-frame number, HFN) is introduced which is stepped (typically incremented) when the short number (the CFN or the PDU sequence number) completes one period. The HFN to gether with the short number form an actual input (called a count parameter) to the ciphering algorithm. The purpose of the count parameter is to ensure that the same ciphering mask is not produced within too short a period of time. If (re) authentication and key change is performed, the count parameter (together with the HFN) can be reset to zero. Between two consecutive connections, the terminal stores the HFN into a non-volatile memory, such as the USIM (UMTS Subscriber Identity Module) in third generation user equipment (MS).」（１頁３２行目〜２頁７行目。）
（和訳：典型的に、短い番号（ＣＦＮ又はＰＤＵシーケンス番号）が１つの周期を完了するときに歩進される（通常は増加される）フレーム番号拡張（「ハイパーフレーム番号」ＨＦＮ）が導入される。このＨＦＮは、短い番号と共に、暗号化アルゴリズムへの実際の入力（カウントパラメータと称する）を形成する。このカウントパラメータの目的は、あまり短い時間周期内に同じ暗号化マスクが導入されないように確保することである。（再）認証及びキー交換が実行される場合には、カウントパラメータを（ＨＦＮと一緒に）ゼロにリセットすることができる。２つの連続する接続の間に、ターミナルは、ＨＦＮを不揮発性メモリ、例えば、第３世代のユーザ装置（ＭＳ）ではＵＳＩＭ（ＵＭＴＳ加入者認識モジュール）に記憶する。）
　
（ウ）「According to a preferred embodiment of the invention, the highest used HFN value for each CN domain where the MS has had radio bearer connections during an RRC connection, is stored in the mobile station's SIM card after releasing the RRC connection. When the next new RRC connection is established, the MS sends the serving radio network controller SRNC an initialization value which enables the SRNC to initialize its ciphering and/or integrity protection algorithms identically. The initialization value is based on the HFN associated with the CN domain which has initialized the RRC connection establishment. On the basis of the initialization value, the SRNC initializes the HFN to a value which is higher than the highest used HFN. Since the HFN has a finite length,highershould be interpreted in a modulo fashion. For example, let us assume a length of 25 bits for the HFN. Some memory can be saved and the connection establishment messages can be shortened by storing and sending only the most significant bits of the HFN. For example, the MS could store only the eight most significant bits. Let us call these eight bits the MSB part of the HFN. In the next connection establishment, the 17 least significant bits (the LSB part) will not be known. However, if the MSB part is incremented by one (between two consecutive RRC connections), the first HFN of the new connection will certainly be higher than the last HFN of the previous connection. An identical result is achieved if all bits in the LSB part are assumed to be ones and the entire HFN (not just the MSB part) is incremented by one.」（６頁１９行目〜７頁４行目。）
（和訳：本発明の好ましい実施形態によれば、ＭＳがＲＲＣ接続中に無線ベアラ接続を有するところの各ＣＮドメインに対する最大使用ＨＦＮ値は、ＲＲＣ接続を解除した後に移動ステーションのＳＩＭカードに記憶される。次の新たなＲＲＣ接続が確立されるときには、ＭＳがサービング無線ネットワークコントローラＳＲＮＣに初期値を送信し、これは、ＳＲＮＣがその暗号化及び／又は完全性保護アルゴリズムを同一に初期化できるようにする。この初期化値は、ＲＲＣ接続確立を初期化したＣＮドメインに関連したＨＦＮをベースとするものである。この初期化値に基づき、ＳＲＮＣは、最大使用ＨＦＮより大きな値にＨＦＮを初期化する。ＨＦＮは有限の長さを有するので、「大きな」とは、モジュロ形態で解釈されねばならない。例えば、ＨＦＮに対して２５ビットの長さを仮定する。ＨＦＮの最上位ビットのみを記憶しそして送信することにより、メモリをある程度セーブできると共に、接続確立メッセージを短縮することができる。例えば、ＭＳは、８つの最上位ビットしか記憶できない。これらの８つのビットをＨＦＮのＭＳＢ部分と称する。次の接続確立においては、１７の最下位ビット（ＬＳＢ部分）は未知である。しかしながら、ＭＳＢ部分が１だけ増加される場合には（２つの連続するＲＲＣ接続間で）、新たな接続の最初のＨＦＮが、以前の接続の最後のＨＦＮより確実に大きなものとなる。ＬＳＢ部分の全ビットが１であると仮定しそして全ＨＦＮ（ＭＳＢ部分だけではない）が１だけ増加される場合には、同一の結果が得られる。）
　
（エ）「Figure 4 illustrates the count parameter C used for ciphering and/or integrity protection. The most significant bits (MSB) are on the left. The count parameter comprises a cyclical least significant part 43, which can be the connection-specific frame number CFN (if encryption is carried out on a protocol layer which is able to'follow'the CFN, e. g. the Medium Access Control (MAC) layer) or a PDU number PDU# (if encryption is carried out on a protocol layer using PDU numbers, e. g. Radio Link Control (RLC) layer). Additionally, the count parameter comprises a hyperframe number HFN which is incremented when the cyclical part 43 completes one cycle. In this context,cyclicalmeans that the cyclical part 43 completes many cycles during a connection, whereas the entire count parameter C is so long that repeated values are not produced during a typical connection, or at least during a lifetime of one ciphering/integrity key. The entire HFN (along with the cyclical part 43) is used for ciphering and/or integrity protection, but the HFN is divided into an MSB part 41 and an LSB part 42. Some memory is saved if only the MSB part is stored between sessions.」（８頁１３行目〜２８行目。）
（和訳：図４は、暗号化及び／又は完全性保護に使用されるカウントパラメータＣを示す。最上位ビット（ＭＳＢ）は左側にある。このカウントパラメータは、繰り返しの最下位部分４３を含み、これは、接続特有のフレーム番号ＣＦＮ（ＣＦＮに「追従」できるプロトコル層、例えば、媒体アクセス制御（ＭＡＣ）層において暗号化が実行される場合）であるか、或いはＰＤＵ番号ＰＤＵ＃（ＰＤＵ番号を使用するプロトコル層、例えば、無線リンク制御（ＲＬＣ）層において暗号化が実行される場合）である。更に、カウントパラメータは、繰り返し部分４３が１つのサイクルを完了するときに増加されるハイパーフレーム番号ＨＦＮを含む。この点において、「繰り返し」とは、繰り返し部分４３が接続中に多数のサイクルを完了することを意味し、一方、全カウントパラメータＣは、典型的な接続中に、即ち少なくとも１つの暗号／完全性キーの寿命中に、繰り返しの値が発生されないような長さである。全ＨＦＮは、（繰り返し部分４３と共に）暗号化及び／又は完全性保護に使用されるが、ＨＦＮは、ＭＳＢ部分４１とＬＳＢ部分４２とに分割される。セッション間にＭＳＢ部分しか記憶されない場合には、メモリがある程度節約される。）
　
（オ）「Figure 5 illustrates maintenance of the hyperframe numbers in a mobile station. Figure 5 shows three major phases: opening a new session, adding a new bearer to an existing session and closing a session. Opening a new session comprises steps 5-2 through 5-8. In step 5-2, the mobile station reads from its memory (preferably, its SIM card), the MSB part 41 of the hyperframe number HFN for the core network in question (circuit-switched or packet-switched).・・・（中略）・・・ In step 5-4, the MS increments the MSB part of the HFN and fills the LSB part with zeros. Incrementing the MSB part ensures that no values of the count parameter will be repeated (until the HFN overflows, which takes a very long time). Filling the remaining parts 42 and 43 with zeros maximizes the time until the HFN overflows, although in practice, any value will do, as long as both ends use the same value. In step 5-6, the MS sends the HFN to the serving radio network controller SRNC. ・・・（中略）・・・In step 5-8, the mobile station and the SRNC initialize first bearer with the count parameter. Alternatively, they may establish several bearers simultaneously using the same initial count parameter.
  Steps 5-10 through 5-14 relate to adding a new bearer to an existing session. In step 5-10, the MS selects the highest hyperframe number used during this session for this type of core network (circuit-switched or packetswitched). In step 5-12, the selected hyperframe number is incremented. In step 5-14, the new bearer is initialized with this HFN value. In step 5-16, the MS sends the HFN to the serving radio network controller SRNC (similarly to step 5-6). Step 5-18 relates to closing a session. The mobile station stores into its memory the MSB part 41 of the highest HFN used for this type of core network during the session. This value will be used in step 5-2 when the next session is opened.
　Although it is natural to increment the count parameter C, an identical result is obtained if the count parameter is decremented, in which case words likehigher/highestmust be replaced withlower/lowest, etc. Because the HFN has a finite length, words likehigher/highestetc. must be interpreted in a modulo-N manner, where N is the bit length of the count parameter. 」（８頁２９行目〜９頁３２行目。）
（和訳：図５は、移動ステーションにハイパーフレーム番号を維持するところを示す。図５は、３つの主要段階、即ち新たなセッションをオープンする段階、既存のセッションに新たなベアラを追加する段階、及びセッションをクローズする段階を示す。新たなセッションをオープンする段階は、ステップ５−１ないし５−８を含む。ステップ５−２では、移動ステーションは、そのメモリ（好ましくは、そのＳＩＭカード）から、当該コアネットワーク（回路交換又はパケット交換）に対するハイパーフレーム番号ＨＦＮのＭＳＢ部分４１を読み取る。・・・（中略）・・・ステップ５−４では、ＭＳは、ＨＦＮのＭＳＢ部分を増加し、そしてＬＳＢ部分にゼロを埋める。ＭＳＢ部分を増加すると、カウントパラメータの値が繰り返されないように確保する（ＨＦＮがオーバーフローするまで；これは、非常に長時間を要する）。残りの部分４２及び４３にゼロを埋めると、ＨＦＮがオーバーフローするまでの時間が最大になるが、実際には、両端に同じ値が使用される限り、いかなる値もそうである。ステップ５−６では、ＭＳは、サービング無線ネットワークコントローラＳＲＮＣにＨＦＮを送信する。・・・（中略）・・・ステップ５−８では、移動ステーション及びＳＲＮＣは、第１ベアラをカウントパラメータで初期化する。或いは又、それらは、同じ初期カウントパラメータを使用して多数のベアラを同時に確立してもよい。
　ステップ５−１０ないし５−１４は、新たなベアラを既存のセッションに追加することに係る。ステップ５−１０では、ＭＳは、この形式のコアネットワーク（回路交換又はパケット交換）に対しこのセッション中に使用される最大のハイパーフレーム番号を選択する。ステップ５−１２では、その選択されたハイパーフレーム番号が増加される。ステップ５−１４では、新たなベアラがこのＨＦＮ値で初期化される。ステップ５−１６では、ＭＳは、ＨＦＮをサービング無線ネットワークコントローラＳＲＮＣへ送信する（ステップ５−６と同様に）。ステップ５−１８は、セッションをクローズすることに係る。移動ステーションは、セッション中にこの形式のコアネットワークに対して使用される最大のＨＦＮのＭＳＢ部分４１をそのメモリに記憶する。この値は、ステップ５−２において、次のセッションがオープンするときに使用される。
　カウントパラメータＣを増加するのは当然であるが、カウントパラメータが減少される場合にも同一の結果が得られ、この場合に、「大きい／最大」のような語は、「小さい／最小」等の語に置き換えねばならない。ＨＦＮは、有限長さを有するので、「大きい／最大」等の語は、カウントパラメータのビット長さをＮとすれば、モジュロＮのように解釈されねばならない。）
　
　ここで、（ア）における記載「モバイルステーション(MS)への／からの複数の無線ベアラをサポートする無線アクセスネットワーク(RAN)におけるトラフィックを保護するための方法」、（イ）における記載「このＨＦＮは、短い番号と共に、暗号化アルゴリズムへの実際の入力（カウントパラメータと称する）を形成する。」、「ターミナルは、ＨＦＮを不揮発性メモリ、例えば、第３世代のユーザ装置（ＭＳ）ではＵＳＩＭ（ＵＭＴＳ加入者認識モジュール）に記憶する。」、（ウ）における記載「最大使用ＨＦＮ値は、ＲＲＣ接続を解除した後に移動ステーションのＳＩＭカードに記憶される。」、「この初期化値は、ＲＲＣ接続確立を初期化したＣＮドメインに関連したＨＦＮをベースとするものである。この初期化値に基づき、ＳＲＮＣは、最大使用ＨＦＮより大きな値にＨＦＮを初期化する。」からすると、先願明細書には、モバイルステーションの不揮発性メモリに記憶する初期化値を決定する方法が記載されていると解される。
　（ウ）における記載「例えば、ＭＳは、８つの最上位ビットしか記憶できない。これらの８つのビットをＨＦＮのＭＳＢ部分と称する。」、（エ）における記載「図４は、暗号化及び／又は完全性保護に使用されるカウントパラメータＣを示す。最上位ビット（ＭＳＢ）は左側にある。」、及び（オ）における記載「ＨＦＮは、有限長さを有するので、「大きい／最大」等の語は、カウントパラメータのビット長さをＮとすれば、モジュロＮのように解釈されねばならない。」からすると、前記初期化値は８ビットのサイズを有し、かつ初期化値をＮビットのカウントパラメータに与えるのに使用されると解される。
　なお、（ア）における記載「モバイルステーション(MS)への／からの複数の無線ベアラをサポートする無線アクセスネットワーク(RAN)におけるトラフィックを保護するための方法であって」及び（オ）における記載「３つの主要段階、即ち新たなセッションをオープンする段階、既存のセッションに新たなベアラを追加する段階、及びセッションをクローズする段階を示す。」からすると、先願明細書に記載されたモバイルステーションは、複数のベアラを確立することが可能であることは明らかである。なお、該確立したベアラを解放することが可能なことは当業者にとって自明である。
　（ア）における記載「無線ベアラ特有の暗号化プロセス(CP)を維持し、各暗号化プロセスに対して、繰り返しシーケンス番号(43)と、この繰り返しシーケンス番号(43)が１サイクル完了するたびに増加されるハイパーフレーム番号(HFN)とを含むカウントパラメータ(C)を発生し」、（オ）における記載「新たなベアラを既存のセッションに追加することに係る。ステップ５−１０では、ＭＳは、この形式のコアネットワーク（回路交換又はパケット交換）に対しこのセッション中に使用される最大のハイパーフレーム番号を選択する。」、「ステップ５−１８は、セッションをクローズすることに係る。移動ステーションは、セッション中にこの形式のコアネットワークに対して使用される最大のＨＦＮのＭＳＢ部分４１をそのメモリに記憶する。この値は、ステップ５−２において、次のセッションがオープンするときに使用される。」からすると、モバイルステーションによって確立された複数のベアラの各ベアラに対応する最大のハイパーフレーム番号のＭＳＢ部分の内で最大の値であるハイパーフレーム番号のＭＳＢ部分を獲得し、セッションをクローズする際に、前記最大の値であるハイパーフレーム番号のＭＳＢ部分と同じ値の初期化値を、モバイルステーションの不揮発性メモリ内に記憶すると解される。
　そして、複数のベアラの各ベアラに対応する最大のハイパーフレーム番号のＭＳＢ部分の内で最大の値であるハイパーフレーム番号のＭＳＢ部分を獲得するために、モバイルステーションによって確立された前記複数のベアラの各ベアラに対して、対応する最大のハイパーフレーム番号のＭＳＢ部分を獲得することは、当業者にとって自明であり、前記対応するベアラの最大のハイパーフレーム番号のＭＳＢ部分は、前記ベアラに関連するＮビットのカウントパラメータのハイパーフレーム番号のＭＳＢ部分が到達した最も高い値であると認められる。
　
　よって、上記（ア）〜（オ）の記載事項によると、先願明細書には、 以下の発明（以下、「先願発明」という。）が記載されているものと認められる。 
　
　モバイルステーションの不揮発性メモリに記憶する初期化値を決定する方法であって、該初期化値は８ビットのサイズを有し、かつ初期化値をＮビットのカウントパラメータに与えるのに使用され、前記モバイルステーションは、複数のベアラを確立することが可能であり、且つ確立したベアラを解放することが可能であり、該方法が、
　モバイルステーションによって確立された前記複数のベアラの各ベアラに対して、対応する最大のハイパーフレーム番号のＭＳＢ部分を獲得するステップと、前記対応するベアラの最大のハイパーフレーム番号のＭＳＢ部分は、前記ベアラに関連するＮビットのカウントパラメータのハイパーフレーム番号のＭＳＢ部分が到達した最も高い値であることと、
　前記複数のベアラの各ベアラに対応する最大のハイパーフレーム番号のＭＳＢ部分の内で最大の値であるハイパーフレーム番号のＭＳＢ部分を獲得するステップと、
　前記最大の値であるハイパーフレーム番号のＭＳＢ部分と同じ値の初期化値を、モバイルステーションの不揮発性メモリ内に記憶するステップとを含む方法。
　 
（３）対比・判断 
　そこで、本願発明と先願発明とを対比する。 
 　　　　　　　　　 
　先願発明の「モバイルステーション」、「不揮発性メモリ」、「初期化値」、「８ビット」、「Ｎビット」、「カウントパラメータ」、及び「ベアラ」は、それぞれ本願発明の「無線通信装置」、「メモリ」、「開始値」、「ｘビット」、「ｎビット」、「セキュリティ・カウント値」、及び「チャネル」に相当する。
　先願発明の「モバイルステーションによって確立された前記複数のベアラ」は、本願発明の「無線通信装置によって確立された少なくとも二つのチャネル」に相当する。
　先願発明の「対応するベアラの最大のハイパーフレーム番号のＭＳＢ部分」及び「カウントパラメータのハイパーフレーム番号のＭＳＢ部分」は、本願発明の「対応するチャネルの終了値」及び「セキュリティ・カウント値のｘ最上位ビット（ＭＳＢx）」に相当する。
　先願発明の「複数のベアラの各ベアラに対応する最大のハイパーフレーム番号のＭＳＢ部分の内で最大の値であるハイパーフレーム番号のＭＳＢ部分」は、本願発明の「全ての終了値の内で最大の値である最終値」に相当する。
　
　先願発明の「前記最大の値であるハイパーフレーム番号のＭＳＢ部分と同じ値の初期化値」は、本願発明の「前記最終値と少なくとも同じ大きさの開始値」に相当する。
　
　してみると、本願発明の構成は、すべて先願発明に示されているものであって、本願発明は先願発明と同一ということになる。
　以上のように、本願発明は先願明細書に記載された発明と同一であり、しかも、本願発明の発明者が上記先願明細書に記載された発明の発明者と同一であるとも、また、本願の出願時に、その出願人が上記他の出願の出願人と同一であるとも認められないので、本願発明は、特許法第２９条の２の規定により特許を受けることができない。
 　　　　　　　　　 
（４）むすび 
 　以上のとおり、本願発明は、先願明細書に記載された発明と同一であり、しかも、本願発明の発明者が上記先願明細書に記載された発明の発明者と同一であるとも、また、本願の出願時に、その出願人が上記他の出願の出願人と同一であるとも認められないので、本願発明は、特許法第２９条の２の規定により特許を受けることができない。 
 　　　　　　　　　　 
 　よって、結論のとおり審決する。